(57)【要約】【課題】耳カバー式ヘッドフォンの構造の提供。【解決手段】耳カバー式ヘッドフォンの構造は、オーバーヘッドバンド１、１組のヘッドフォンユニット２を備え、各ヘッドフォンユニット２はオーバーヘッドバンド１の両端にそれぞれ設置し、各ヘッドフォンユニット２のスピーカー２２は耳孔と対応する位置上に設置し、ヘッドフォンユニット２の耳カバー２３内には、スピーカー２２と相対する軸方向位置に、中心からずれて耳孔と対応し、音声を通過させる音室２３２１を形成し、スピーカー２２が発する音声は直接耳孔に伝わり、音声は拡散せず、音質を保持することができ、同時に、耳カバー２３の外側は、外ラップカバー層２３３により覆い、外ラップカバー層２３３と耳カバー２３の音室２３２１が対応する位置には、複数の音貫通孔２３３１を設置し、こうして、音室２３２１はアンプのような音質を高める効果を形成し、耳カバー式ヘッドフォンの音質を大幅に向上させることができる。【選択図】図１
0003153621.tif 000002
【実用新案登録請求の範囲】
【請求項１】
オーバーヘッドバンド、１組のヘッドフォンユニットを備え、
前記各ヘッドフォンユニットは、前記オーバーヘッドバンドの両端に、それぞれ設置し、前記各ヘッドフォンユニット内には、スピーカーを設置し、前記スピーカーは、装着者の耳孔と対応する偏心位置上に設置し、
前記ヘッドフォンユニットの片側に設置する耳カバー内には、前記スピーカーと相対する軸方向位置に、中心からずれて耳孔と対応し、音声を通過させる音室を形成し、これにより、前記スピーカーが発する音声は、阻害されることなく、直接耳孔に伝わり、音質を保持することができ、
同時に、前記耳カバーの外側は、外ラップカバー層により覆い、前記外ラップカバー層と前記耳カバーの音室が対応する位置には、複数の音貫通孔を設置し、
こうして、前記音室は、アンプのような音質を高める効果を形成し、耳カバー式ヘッドフォンの音質を大幅に向上させることができることを特徴とする耳カバー式ヘッドフォンの構造。
【請求項２】
前記ヘッドフォンユニットは、ヘッドフォン台、スピーカー、耳カバーを備え、
前記スピーカーは、前記ヘッドフォン台上に設置し、前記ヘッドフォン台片側には、前記耳カバーを設置し、
前記耳カバーは、１組の組合せ環状片、吸音材質により製造する耳カバークッション体、外ラップカバー層を備え、
前記吸音材質は、スポンジ材料、或いは発泡材料などで、
前記耳カバークッション体は、前記組合せ環状片の片面上に設置し、
前記耳カバークッション体上の、前記ヘッドフォン台上に設置するスピーカーと対応する位置には、音室を設置し、前記外ラップカバー層により、前記耳カバークッション体を覆い、前記組合せ環状片と一体に結合し、
こうして、前記耳カバークッション体と前記組合せ環状片は、耳カバーを形成し、
同時に、前記ヘッドフォン台の反対側には、側蓋を設置し、
上記した構成部品により、前記スピーカーが発する音が、前記耳カバークッション体の音室内に進入すると、前記音室は、外ラップカバー層に包まれているため、アンプを備えるかのような効果を形成し、こうして、前記スピーカーにより伝えられる音の品質は、大幅に向上し、
最後に、前記外ラップカバー層の複数の音貫通孔により、装着者の耳孔に伝達され、こうして耳カバー式ヘッドフォンの音質を向上させることができることを特徴とする請求項１に記載の耳カバー式ヘッドフォンの構造。
【請求項３】
前記耳カバーの組合せ環状片上周縁には、１個以上の組合せ嵌合槽を設置し、
前記各組合せ嵌合槽内にはすべて、弾性体を備え、前記ヘッドフォン台上には、前記組合せ環状片の組合せ嵌合槽と相互に対応する１個以上の嵌合柱を設置し、
前記耳カバーと前記ヘッドフォン台を組み合わせる時には、前記ヘッドフォン台の嵌合柱を、前記耳カバーの組合せ環状片の組合せ嵌合槽内に、それぞれ挿入して組合せ、
弾性体により、嵌合柱を嵌めて固定し、
これにより、前記耳カバーと前記ヘッドフォン台は、一体に組み合わされ、前記耳カバーは、設置と取り外しが随時可能となることを特徴とする請求項２に記載の耳カバー式ヘッドフォンの構造。
【請求項４】
前記ヘッドフォン台上にはさらに、定位柱を設置し、前記組合せ環状片上に設置する定位孔と、組み合わせて定位し、
これにより、前記耳カバーと前記ヘッドフォン台は、組合せ後に位置がずれることはないことを特徴とする請求項２に記載の耳カバー式ヘッドフォンの構造。
【請求項５】
前記耳カバークッション体は、形状記憶コットンの吸音材料で、吸着性、散熱性が良好で、しかも快適な装着感を提供することができることを特徴とする請求項２に記載の耳カバー式ヘッドフォンの構造。
【請求項６】
前記耳カバークッション体の音室周縁、及びその内側面は共に、ラップカバー層で包み、前記耳カバークッション体の内側面周縁は、別に、環状槽を備える環状槽辺体で覆い、
こうして、前記組合せ環状片周縁を、前記環状槽辺体の環状槽内に、嵌めて設置し、組合せ環状片は、前記耳カバーと一体に結合され、
同時に、前記外ラップカバー層に設置する複数の音貫通孔内面には、別に網状布層を設置し、これにより、音質を向上させ、汚物の進入を減少させることができることを特徴とする請求項２に記載の耳カバー式ヘッドフォンの構造。
【請求項７】
前記外ラップカバー層に設置する複数の音貫通孔内面には、別に網状布層を設置し、これにより、音質を向上させ、汚物の進入を減少させることができることを特徴とする請求項１に記載の耳カバー式ヘッドフォンの構造。
【考案の詳細な説明】
【技術分野】
【０００１】
本考案は耳カバー式ヘッドフォンの構造に関し、特にヘッドフォンのスピーカーを耳孔と対応する位置上に設置し、ヘッドフォンの耳カバー内には、スピーカーと相対する軸方向位置に、中心からずれて耳孔と対応する。音声を通過させる音室を形成し、これによりスピーカーが発する音声は直接耳孔に伝わり、音声は拡散せず音質を保持することができ、同時に、耳カバーの外側は外ラップカバー層により覆い、外ラップカバー層と耳カバーの音室が対応する位置には、複数の音貫通孔を設置し、こうして音室はアンプのような音質を高める効果を形成し、耳カバー式ヘッドフォンの音質を大幅に向上させることができる耳カバー式ヘッドフォンの構造に関する。
【背景技術】
【０００２】
従来の耳カバー式ヘッドフォンは、図６、７に示すように、オーバーヘッドバンド３、１組のヘッドフォンカバー４からなる。従来の耳カバー式ヘッドフォンのスピーカー４１の多くは、ヘッドフォンカバー４内の中央位置に設置し、ヘッドフォンカバー４片側周縁には、環状クッションカバー４２を設置する。装着する時には、使用者の耳は、環状クッションカバー４２内の空間に覆われる。しかし、従来のスピーカー４１の位置は、耳孔と直接対応を呈する関係にはならないため、スピーカー４１が発する音は、先ず環状クッションカバー４２内の空間４３へと進入する。これにより、音は混濁し、散乱する状況が発生し、こうして音質が低下し、ヘッドフォンの音声品質に悪影響を及ぼす。本考案は、従来の耳カバー式ヘッドフォンの構造の上記した欠点に鑑みてなされたものである。  
【考案の概要】
【考案が解決しようとする課題】
【０００３】
本考案が解決しようとする課題は、スピーカーが発する音声は直接耳孔に伝わり、音声は拡散せず音質を保持することができ、音室がアンプのような音質を高める効果を形成し、耳カバー式ヘッドフォンの音質を大幅に向上させることができる耳カバー式ヘッドフォンの構造を提供することである。
【課題を解決するための手段】
【０００４】
上記課題を解決するため、本考案は下記の耳カバー式ヘッドフォンの構造を提供する。
耳カバー式ヘッドフォンの構造において、ヘッドフォンユニットのスピーカーは耳孔と対応する位置上に設置し、該ヘッドフォンユニットの耳カバー内には、スピーカーと相対する軸方向位置に、中心からずれて耳孔と対応し、音声を通過させる音室を形成し、
これにより該スピーカーが発する音声は直接耳孔に伝わり、音声は拡散せず、音質を保持することができ、
該ヘッドフォンの耳カバーの外側は、外ラップカバー層により覆い、該外ラップカバー層と該耳カバーの音室が対応する位置には、複数の音貫通孔を設置し、
こうして、該音室はアンプのような音質を高める効果を形成し、耳カバー式ヘッドフォンの音質を大幅に向上させることができ、
該耳カバーの組合せ環状片上周縁には、１個以上の組合せ嵌合槽を設置し、該各組合せ嵌合槽内にはすべて、弾性体を備え、該ヘッドフォン台上には、該組合せ環状片の組合せ嵌合槽と相互に対応する１個以上の嵌合柱を設置し、
該耳カバーと該ヘッドフォン台を組み合わせる時には、該ヘッドフォン台の嵌合柱を、該耳カバーの組合せ環状片の組合せ嵌合槽内に、それぞれ挿入して組合せ、弾性体により、嵌合柱を嵌めて固定し、
これにより、該耳カバーと該ヘッドフォン台は、一体に組み合わされ、該耳カバーは、設置と取り外しが随時可能となり、交換に便利で、衛生的な使用を達成することができる。
【考案の効果】
【０００５】
本考案耳カバー式ヘッドフォンは、スピーカーが発する音声は直接耳孔に伝わり、音声は拡散せず音質を保持することができ、音室がアンプのような音質を高める効果を形成し、耳カバー式ヘッドフォンの音質を大幅に向上させることができる。
【図面の簡単な説明】
【０００６】
【図１】本考案第一実施例の局部立体分解図である。
【図２】本考案第一実施例のヘッドフォンユニットの組合せ状態を示す断面図である。
【図３】本考案第一実施例の立体図である。
【図４】本考案第二実施例のヘッドフォンの断面図である。
【図５】本考案第二実施例のヘッドフォンの立体図である。
【図６】従来の耳カバー式ヘッドフォンのヘッドフォンカバー部の組合せ状態を示す断面図である。
【図７】従来の耳カバー式ヘッドフォンのヘッドフォンカバー部の立体図である。
【考案を実施するための形態】
【０００７】
以下に図面を参照しながら本考案を実施するための最良の形態について詳細に説明する。
【実施例】
【０００８】
図１、２、３に示すように、本考案の耳カバー式ヘッドフォンの構造は、ヘッドフォンユニット２のスピーカー２２を、装着者の耳孔と対応する位置上に設置する。並びに、ヘッドフォンユニット２の耳カバー２３内において、スピーカー２２に相対する軸方向位置に、中心からずれて耳孔と対応し、音声を通過させる音室２３２１を形成する。これにより、スピーカー２２が発する音声は、阻害されることなく、直接耳孔に伝わり、音質を保持することができる。同時に、耳カバー２３の外側は、外ラップカバー層２３３により覆い、外ラップカバー層２３３と耳カバー２３音室２３２１が対応する位置には、複数の音貫通孔２３３１を設置する。こうして、音室２３２１は、アンプのような音質を高める効果を形成し、耳カバー式ヘッドフォンの音質を大幅に向上させることができる。
【０００９】
本考案耳カバー式ヘッドフォンは、オーバーヘッドバンド１、１組のヘッドフォンユニット２により構成する。各ヘッドフォンユニット２は、ヘッドフォン台２１、スピーカー２２、耳カバー２３を備える。スピーカー２２は、ヘッドフォン台２１上に設置し、ヘッドフォン台２１片側には、耳カバー２３を設置する。耳カバー２３は、１組の組合せ環状片２３１、吸音材質により製造する耳カバークッション体２３２、外ラップカバー層２３３を備える。吸音材質は、形状記憶コットン材料で、吸着性、散熱性が良好で、しかも快適な装着感を提供することができる。耳カバークッション体２３２は、組合せ環状片２３１の片面上に設置する。耳カバークッション体２３２上の、ヘッドフォン台２１上に設置するスピーカー２２と対応する位置には、音室２３２１を設置し、外ラップカバー層２３３により、耳カバークッション体２３２を覆い、組合せ環状片２３１と一体に結合する。こうして、耳カバークッション体２３２と組合せ環状片２３１は、耳カバー２３を形成する。スピーカー２２が発する音が、耳カバー２３耳カバークッション体２３２の音室２３２１内に進入すると、音室２３２１は、外ラップカバー層２３３に包まれているため、アンプを備えるかのような効果を形成する。こうして、スピーカー２２により伝えられる音の品質は、大幅に向上する。最後に、外ラップカバー層２３３の複数の音貫通孔２３３１により、装着者の耳孔に伝達され、こうして耳カバー式ヘッドフォンの音質を向上させることができる。さらに、耳カバー２３の組合せ環状片上周縁には、１個以上の組合せ嵌合槽２３１１を設置する。各組合せ嵌合槽２３１１内にはすべて、弾性体２３１２を備え、ヘッドフォン台２１上には、組合せ環状片２３１の組合せ嵌合槽２３１１と相互に対応する１個以上の嵌合柱２１１を設置する。耳カバー２３とヘッドフォン台２１を組み合わせる時には、ヘッドフォン台２１の嵌合柱２１１を、耳カバー２３組合せ環状片２３１の組合せ嵌合槽２３１１内に、それぞれ挿入して組み合わせる。並びに、弾性体２３１２により、嵌合柱２１１を嵌めて固定し、これにより、耳カバー２３とヘッドフォン台２１は、一体に組み合わされ、耳カバー２３は、設置と取り外しが随時可能となる。ヘッドフォン台２１上にはさらに、定位柱２１２を設置し、組合せ環状片２３１上に設置する定位孔２３１３と、組み合わせて定位する。これにより、耳カバー２３とヘッドフォン台２１は、組合せ後に位置がずれることはない。同時に、ヘッドフォン台２１の反対側には、側蓋２１３を設置する。
【００１０】
図４、５に示すように、本考案の耳カバー２３の第二実施例では、耳カバークッション体２３２の音室２３２１周縁、及びその内側面は、共に、ラップカバー層２４、２５で包む。耳カバークッション体２３２の内側面周縁は、別に、環状槽２６１を備える環状槽辺体２６で覆う。こうして、組合せ環状片２３１周縁を、環状槽辺体２６の環状槽２６１内に、嵌めて設置し、組合せ環状片２３１は、耳カバー２３と一体に結合される。同時に、外ラップカバー層２３３に設置する複数の音貫通孔２３３１内面には、別に網状布層２７を設置し、これにより、音質を向上させ、汚物の進入を減少させることができる。
【産業上の利用可能性】
【００１１】
本考案は、耳カバー式ヘッドフォンの音質を向上させ、耳カバーは随時取り外し、或いは取り付けることができ、交換に便利であるため、実用新案の要件である新規性を備え、従来の同類製品に比べ十分な進歩を有し、実用性が高く、社会のニーズに合致しており、産業上の利用価値は非常に大きい。
【符号の説明】
【００１２】
１、３  オーバーヘッドバンド
２  ヘッドフォンユニット
２１  ヘッドフォン台
２１１  嵌合柱
２１２  定位柱
２１３  側蓋
２２、４１  スピーカー
２３  耳カバー
２３１  組合せ環状片
２３１１  組合せ嵌合槽
２３１２  弾性体
２３１３  定位孔
２３２  耳カバークッション体
２３２１  音室
２３３  外ラップカバー層
２３３１  音貫通孔
２４、２５  ラップカバー層
２６  環状槽辺体
２６１  環状槽
２７  網状布層
４  ヘッドフォンカバー
４２  環状クッションカバー
４３  空間
【図１】
0003153621.tif 000003
【図２】
0003153621.tif 000004
【図３】
0003153621.tif 000005
【図４】
0003153621.tif 000006
【図５】
0003153621.tif 000007
【図６】
0003153621.tif 000008
【図７】
0003153621.tif 000009